(57)【特許請求の範囲】
【請求項１】
紙管本体と、
前記紙管本体に取り付けられる筒状体と、
前記筒状体の周回方向に延設された金属部材と、
ＲＦＩＣ素子と、前記ＲＦＩＣ素子に一端が接続され、他端が前記金属部材に接続されたアンテナ素子と、を有するＲＦＩＤタグと、
を備えたＲＦＩＤタグ付き紙管。
【請求項２】
前記金属部材は、前記筒状体の周回方向に半周以上の長さで延設されており、
前記アンテナ素子は、前記筒状体の周回方向に沿って配置されており、
前記アンテナ素子の前記他端は、前記金属部材の前記周回方向側の縁端部に接続されている、請求項１に記載のＲＦＩＤタグ付き紙管。
【請求項３】
前記金属部材は、前記筒状体の周回方向に半周以上の長さで延設されており、
前記アンテナ素子は、前記筒状体の前記周回方向と交差する方向に沿って配置されており、
前記アンテナ素子の前記他端は、前記金属部材の前記周回方向と交差する方向側の側端部に接続されている、請求項１に記載のＲＦＩＤタグ付き紙管。
【請求項４】
前記金属部材は、前記筒状体の周回方向の全周に延設されており、
前記アンテナ素子は、前記筒状体の前記周回方向と交差する方向に沿って配置されており、
前記アンテナ素子の前記他端は、前記金属部材の前記周回方向と交差する方向側の側端部に接続されている、請求項１に記載のＲＦＩＤタグ付き紙管。
【請求項５】
前記ＲＦＩＣ素子は、通信周波数に相当する共振周波数を有した共振回路を介して前記アンテナ素子の前記一端に接続されている、請求項１から４のいずれか一項に記載のＲＦＩＤタグ付き紙管。
【請求項６】
前記共振回路は、複数の基材層を積層してなる多層基板に内蔵されており、前記ＲＦＩＣ素子は前記多層基板に実装されている、請求項５に記載のＲＦＩＤタグ付き紙管。
【請求項７】
前記ＲＦＩＣ素子は、第１入出力端子及び第２入出力端子を有しており、
前記第１入出力端子に前記アンテナ素子の一端が接続されており、
前記第２入出力端子に励振電極が接続されている、請求項１から６のいずれか一項に記載のＲＦＩＤタグ付き紙管。
【請求項８】
前記ＲＦＩＣ素子は、第１入出力端子及び第２入出力端子を有しており、
前記第１入出力端子と前記第２入出力端子とがループ形状部で接続されており、
前記第１入出力端子に前記アンテナ素子の一端が接続されている、請求項１から６のいずれか一項に記載のＲＦＩＤタグ付き紙管。
【請求項９】
前記筒状体は、軸方向に沿って前記紙管本体に嵌合されている、請求項１から７のいずれか一項に記載のＲＦＩＤタグ付き紙管。
【発明の詳細な説明】
【技術分野】
【０００１】
本発明は、紙、糸、布、フィルム、線材、金属箔等の捲装物を巻きつける紙管にＲＦＩＤタグを設けたＲＦＩＤタグ付き紙管に関する。
【背景技術】
【０００２】
従来、紙、糸、布、フィルム、線材、金属箔等の捲装物を巻きつける紙管において、捲装物の管理のために製造履歴（トレーサビリティ）の情報を記録したＲＦＩＤタグを紙管内に収容する技術が知られている。例えば、紙管用筒状体の一部に窪みやスリットを設け、ここにＲＦＩＤタグを収容する技術がある（例えば、特許文献１及び２参照。）。これらの技術によれば、紙管に突起等が生じるわけではないので、そのハンドリング性を阻害しない。また、ＲＦＩＤタグの損傷を防ぐことができ、捲装物のトレーサビリティを安定的に行うことができる。
【先行技術文献】
【特許文献】
【０００３】
【特許文献１】特開２００６−２３２４４９号公報
【特許文献２】特許第４３７４３６９号公報
【発明の概要】
【発明が解決しようとする課題】
【０００４】
しかし、上記技術では、ＲＦＩＤタグの構成によっては、その指向性にばらつきが大きいという問題があった。特に、一般的なダイポール型アンテナを利用したＲＦＩＤタグの場合には、その側方には十分な利得が得られないことがある。
【０００５】
そこで、本発明の目的は、指向性が改善されたＲＦＩＤタグ付き紙管を提供することである。
【課題を解決するための手段】
【０００６】
本発明に係るＲＦＩＤタグ付き紙管は、紙管本体と、
前記紙管本体に取り付けられる筒状体と、
前記筒状体の周回方向に延設された金属部材と、
ＲＦＩＣ素子と、前記ＲＦＩＣ素子に一端が接続され、他端が前記金属部材に接続されたアンテナ素子と、を有するＲＦＩＤタグと、
を備える。
【発明の効果】
【０００７】
本発明に係るＲＦＩＤタグ付き紙管によれば、筒状体の周回方向に延設された金属部材にＲＦＩＤタグのアンテナ素子が接続されているので、指向性を改善できる。
【図面の簡単な説明】
【０００８】
【図１】（ａ）は、実施の形態１に係るＲＦＩＤタグ付き紙管の構成を示す斜視図であり、（ｂ）は、紙管本体の内径側の収容部にＲＦＩＤタグを設けた筒状体を挿入して（ａ）のＲＦＩＤタグ付き紙管を構成する工程を示す斜視図である。
【図２】（ａ）は、図１（ｂ）のＲＦＩＤタグを設けた筒状体の構成を示す斜視図であり、（ｂ）は、（ａ）のｘ軸の正方向から見た図であり、（ｃ）は、（ａ）のｙ軸の正方向から見た図である。
【図３】（ａ）は、ＲＦＩＤタグの構成を示す平面図であり、（ｂ）は、（ａ）の側面図である。
【図４】（ａ）は、実施の形態１に係るＲＦＩＤタグ付き紙管に用いるＲＦＩＤタグに含まれるＲＦＩＣ素子の断面構造を示す概略断面図であり、（ｂ）は、（ａ）の等価回路図である。
【図５】実施の形態１に係るＲＦＩＤタグ付き紙管に金属ワイヤを巻き付けた使用状態の一例を示す概略斜視図である。
【図６】（ａ）は、実施の形態２に係るＲＦＩＤタグ付き紙管の構成要素のＲＦＩＤタグを設けた筒状体の構成を示す斜視図であり、（ｂ）は、（ａ）のＲＦＩＤタグ付き紙管に用いるＲＦＩＤタグの構成を示す平面図であり、（ｃ）は、紙管本体へ（ａ）のＲＦＩＤタグを設けた筒状体を挿入する工程を示す斜視図である。
【図７】（ａ）は、実施の形態３に係るＲＦＩＤタグ付き紙管の構成を示す斜視図であり、（ｂ）は、紙管本体の外径側の収容部にＲＦＩＤタグを設けた筒状体を嵌合して（ａ）のＲＦＩＤタグ付き紙管を構成する工程を示す斜視図である。
【図８】（ａ）は、実施の形態４に係るＲＦＩＤタグ付き紙管の構成を示す斜視図であり、（ｂ）は、紙管本体の内径側の収容部にＲＦＩＤタグを設けた筒状体を挿入して（ａ）のＲＦＩＤタグ付き紙管を構成する工程を示す斜視図である。
【発明を実施するための形態】
【０００９】
第１の態様に係るＲＦＩＤタグ付き紙管は、紙管本体と、
前記紙管本体に取り付けられる筒状体と、
前記筒状体の周回方向に延設された金属部材と、
ＲＦＩＣ素子と、前記ＲＦＩＣ素子に一端が接続され、他端が前記金属部材に接続されたアンテナ素子と、を有するＲＦＩＤタグと、
を備える。
【００１０】
上記構成によって、筒状体の周回方向に延設された金属部材にＲＦＩＤタグのアンテナ素子を接続している。これによって、紙管の軸方向や周回方向への利得を大きくすることができ、あらゆる方向に通信距離が大きく、指向範囲の広いＲＦＩＤ通信を実現できる。これによって、紙管、さらには捲装物のトレーサビリティをより安定的に行うことができる。
【００１１】
第２の態様に係るＲＦＩＤタグ付き紙管は、上記第１の態様において、前記金属部材は、前記筒状体の周回方向に半周以上の長さで延設されており、
前記アンテナ素子は、前記筒状体の周回方向に沿って配置されており、
前記アンテナ素子の前記他端は、前記金属部材の前記周回方向側の縁端部に接続されていてもよい。
【００１２】
上記構成によって、筒状体の周回方向の半周以上の長さにわたる金属部材をアンテナ素子に接続しているので、さらに指向性を改善できる。また、アンテナ素子は、筒状体の周回方向に沿って配置されているので、筒状体の周回方向に沿ったアンテナ長を確保できる。
【００１３】
第３の態様に係るＲＦＩＤタグ付き紙管は、上記第１の態様において、前記金属部材は、前記筒状体の周回方向に半周以上の長さで延設されており、
前記アンテナ素子は、前記筒状体の前記周回方向と交差する方向に沿って配置されており、
前記アンテナ素子の前記他端は、前記金属部材の前記周回方向と交差する方向側の側端部に接続されていてもよい。
【００１４】
上記構成によって、筒状体の周回方向の半周以上の長さにわたる金属部材をアンテナ素子に接続しているので、さらに指向性を改善できる。また、アンテナ素子を筒状体の周回方向と交差する方向に沿って配置しており、金属部材の周回方向とＲＦＩＤタグのアンテナ素子の延在方向とが交差するので、さらに指向性を改善できる。
【００１５】
第４の態様に係るＲＦＩＤタグ付き紙管は、上記第１の態様において、前記金属部材は、前記筒状体の周回方向の全周に延設されており、
前記アンテナ素子は、前記筒状体の前記周回方向と交差する方向に沿って配置されており、
前記アンテナ素子の前記他端は、前記金属部材の前記周回方向と交差する方向側の側端部に接続されていてもよい。
【００１６】
上記構成によって、筒状体の周回方向の全面に金属部材を設けているので、さらに指向性を改善できる。また、アンテナ素子を筒状体の周回方向と交差する方向に沿って配置しており、金属部材の周回方向とＲＦＩＤタグのアンテナ素子の延在方向とが交差するので、さらに指向性を改善できる。
【００１７】
第５の態様に係るＲＦＩＤタグ付き紙管は、上記第１から第４のいずれかの態様において、前記ＲＦＩＣ素子は、通信周波数に相当する共振周波数を有した共振回路を介して前記アンテナ素子の前記一端に接続されていてもよい。
【００１８】
上記構成によって、ＲＦＩＣ素子の共振回路によって、ＲＦＩＤタグのアンテナ素子及びそれに接続する金属部材とによる電気長が変化してもキャリア周波数の中心周波数は大きく変化しないようにすることができる。
【００１９】
第６の態様に係るＲＦＩＤタグ付き紙管は、上記第５の態様において、前記共振回路は、複数の基材層を積層してなる多層基板に内蔵されており、前記ＲＦＩＣ素子は前記多層基板に実装されていてもよい。
【００２０】
上記構成によって、ＲＦＩＣチップと、ＲＦＩＣチップを実装する多層基板とを有するＲＦＩＣパッケージとして構成することができる。
【００２１】
第７の態様に係るＲＦＩＤタグ付き紙管は、上記第１から第６のいずれかの態様において、前記ＲＦＩＣ素子は、第１入出力端子及び第２入出力端子を有しており、
前記第１入出力端子に前記アンテナ素子の一端が接続されており、
前記第２入出力端子に励振電極が接続されていてもよい。
【００２２】
上記構成によって、ＲＦＩＤタグとして励振電極より長いアンテナ素子を有するいわゆる一端子型タグを配置できる。そこで、ＲＦＩＤタグを周回方向に沿って配置した際、周回方向におけるアンテナ素子の長さを十分に確保することができる。
【００２３】
第８の態様に係るＲＦＩＤタグ付き紙管は、上記第１から第６のいずれかの態様において、前記ＲＦＩＣ素子は、第１入出力端子及び第２入出力端子を有しており、
前記第１入出力端子と前記第２入出力端子とがループ形状部で接続されており、
前記第１入出力端子に前記アンテナ素子の一端が接続されていてもよい。
【００２４】
上記構成によって、ＲＦＩＤタグ自体においてループ形状部を有するので指向性を改善できる。
【００２５】
第９の態様に係るＲＦＩＤタグ付き紙管は、上記第１から第８のいずれかの態様において、前記筒状体は、軸方向に沿って前記紙管本体に嵌合されていてもよい。
【００２６】
上記構成によって、ＲＦＩＤタグを含む筒状体を軸方向に沿って紙管本体に嵌合できるので、紙管の高速回転時におけるＲＦＩＤタグの損傷の発生を抑制できる。
【００２７】
以下、実施の形態に係るＲＦＩＤタグ付き紙管について、添付図面を参照しながら説明する。なお、図面において実質的に同一の部材については同一の符号を付している。
【００２８】
（実施の形態１）
図１（ａ）は、実施の形態１に係るＲＦＩＤタグ付き紙管３０の構成を示す斜視図である。図１（ｂ）は、紙管本体２０の内径側の収容部２１にＲＦＩＤタグ１０を設けた筒状体２２を挿入して図１（ａ）のＲＦＩＤタグ付き紙管３０を構成する工程を示す斜視図である。図２（ａ）は、図１（ｂ）のＲＦＩＤタグ１０を設けた筒状体２２の構成を示す斜視図である。図２（ｂ）は、図２（ａ）のＲＦＩＤタグ１０を設けた筒状体２２をｘ軸の正方向から見た図である。図２（ｃ）は、図２（ａ）のＲＦＩＤタグ１０を設けた筒状体２２をｙ軸の正方向から見た図である。なお、図１及び図２では、紙管３０の軸方向をｙ軸とし、径方向をｘ軸及びｚ軸としている。
このＲＦＩＤタグ付き紙管３０は、紙管本体２０と、紙管本体２０に取り付けられる筒状体２２と、筒状体２２の周回方向に延設された金属部材２３と、ＲＦＩＤタグ１０とを備える。ＲＦＩＤタグ１０は、ＲＦＩＣ素子１と、ＲＦＩＣ素子１に一端が接続され、他端が金属部材２３に接続されたアンテナ素子３と、を有する。
このＲＦＩＤタグ付き紙管３０によれば、筒状体２２の周回方向に延設された金属部材２３にアンテナ素子３を接続している。そこで、紙管３０の軸方向や周回方向への利得を大きくすることができ、様々な方向に通信距離が大きく、指向範囲の広いＲＦＩＤ通信を実現できる。例えば、径方向（ｘ軸方向、ｚ軸方向）及び軸方向（ｙ軸方向）について通信距離が大きくとれる。これによって、紙管３０、さらには捲装物のトレーサビリティをより安定的に行うことができる。
【００２９】
以下に、このＲＦＩＤタグ付き紙管３０の構成要素について説明する。
【００３０】
＜紙管＞
紙管３０は、紙、糸、布、フィルム、線材、金属箔等の捲装物を巻きつけるために用いられるものであって、円筒形状を有する。その外径は、捲装物に対応して設定される。また、内径は、紙管を取り付ける装置に対応して設定すればよい。
紙管３０は、紙管本体２０と紙管本体２０に取り付ける筒状体２２とを含む。
【００３１】
＜紙管本体＞
紙管本体２０は、筒状体２２を収容する収容部２１を有する。図１では、筒状体２２を紙管本体２０の内径側に収容しているので、収容部２１は内径側に設けられているが、これに限られない。例えば、後述する実施の形態３に示すように外径側に筒状体２２ｂを収容する場合、紙管本体２０ｂの外径側に収容部２１ｂを設けてもよい（図７）。また、
【００３２】
＜筒状体＞
筒状体２２は、紙管本体２０に取り付けられるものであればよい。例えば、軸方向（ｙ軸方向）に沿って紙管本体２０と嵌合するものであってもよい。これによって、ＲＦＩＤタグ１０を含む筒状体２２を軸方向に沿って紙管本体に嵌合できるので、紙管３０の高速回転時におけるＲＦＩＤタグ１０の損傷の発生を抑制できる。また、筒状体２２は、紙管本体２０の内径側の収容部２１に嵌合する部品（図１（ｂ））、又は、紙管本体２０ｂの外径側の収容部２１ｂに嵌合する部品（図７（ｂ））であってもよい。なお、図１（ｂ）及び図７（ｂ）では、収容部２１、２１ｂは、紙管本体２０の内径側又は外径側に薄肉部又は段部として設けられている。さらに、収容部２１、２１ｂは、筒状体２２を取り付けた際に紙管本体２０と筒状体２２とが面一になるように設けることが好ましい。なお、筒状体２２は、紙管本体２０に嵌合するものに限られず、紙管本体２０に外挿、内挿、収容等、その他の取り付けるものであればよい。
【００３３】
＜金属部材＞
金属部材２３は、通電可能な金属、例えば、アルミニウム、銅、銀、金、鉄等を用いることができる。また、金属部材２３は、例えば、金属膜、金属線、金属板等のいずれであってもよい。金属膜としては、塗布膜、蒸着膜、金属箔等のいずれであってもよい。金属線としては、銅線、金線、エナメル線等を用いることができる。金属板としては、アルミニウム板、銅板、銀板、金板、鉄板等を用いることができる。また、金属部材２３の厚さは限定されないが、使用する通信周波数によっては高周波による表面効果によって厚さ方向は有効とならない場合があるので、厚さは薄くてもよい。
【００３４】
また、金属部材２３は、筒状体２２の周回方向に沿って延設されている。金属部材２３の延設される長さは、筒状体２２の周回方向の半周以上にわたって延設されていることが好ましい。金属部材２３が筒状体２２の周回方向の半周以上にわたって延設されていることによって、ＲＦＩＤタグ１０だけの場合に比べて周回方向に沿った指向性（ｘ軸方向、ｚ軸方向）が改善される。例えば、通信周波数に対応する通信波長λの半波長分（λ／２）の奇数倍に対応する長さであってもよい。
さらに、金属部材２３は、図１（ｂ）及び図２では、筒状体２２の外周面に設けられているが、これに限られない。例えば、後述する実施の形態３に示すように筒状体２２ｂの内周面に金属部材２３を設けてもよい（図７）。また、金属部材として金属線２３ｃを用いた場合には、後述する実施の形態４に示すように、筒状体２２ｃの外周面又は内周面に沿って金属線２３ｃを巻回してもよい。
【００３５】
＜ＲＦＩＤタグ＞
図３（ａ）は、ＲＦＩＤタグ１０の構成を示す平面図である。図３（ｂ）は、図３（ａ）の側面図である。このＲＦＩＤタグ１０は、ＲＦＩＣ素子１と、ＲＦＩＣ素子１に接続されたアンテナ素子３と、を有する。具体的には、ＲＦＩＣ素子１は、第１入出力端子２ａ及び第２入出力端子２ｂを有している。第１入出力端子２ａにアンテナ素子３の一端が接続されており、第２入出力端子２ｂに励振電極４が接続されている。また、アンテナ素子３は、励振電極４より長い。さらに、ＲＦＩＤタグ１０は、基材５の上に配置してもよい。この基材５としては、例えばフィルムを用いてもよい。
また、ＲＦＩＤタグ１０は、筒状体２２の周回方向に沿って配置されている。これによって筒状体２２の周回方向に沿ったアンテナ長を確保できる。なお、ＲＦＩＤタグ１０は、周回方向に沿って配置する場合に限られない。例えば、ＲＦＩＤタグ１０を周回方向と交差する方向に沿って配置してもよい。これによって、金属部材２３の周回方向とＲＦＩＤタグ１０のアンテナ素子３の延在方向とが交差するので、さらに指向性を改善できる。
【００３６】
以下にＲＦＩＤタグ１０の各構成要素について説明する。
＜ＲＦＩＣ素子＞
図４（ａ）は、ＲＦＩＣ素子１の断面構造を示す概略断面図である。図４（ｂ）は、図４（ａ）の等価回路図である。
ＲＦＩＣ素子１は、ＲＦＩＤ信号を処理するＲＦＩＣチップ１１と、ＲＦＩＣチップ１１を実装する多層基板１５とを有するＲＦＩＣパッケージとして構成される。ＲＦＩＣチップ１１は、メモリ回路や信号処理回路を内蔵し、かつエポキシ樹脂製の封止樹脂１４等によって封止してもよい。ＲＦＩＣチップ１１は、導電性接合材１２と端子電極１３とを介して給電回路を構成する多層基板１５に実装されている。給電回路は、多層基板状に形成してもよい。
また、多層基板１５は、ＬＴＣＣ等のセラミックを材料からなるセラミック多層基板であって、Ｌ１及びＬ２等のＬパターン及びＣ１、Ｃ２及びＣＩＣ等のＣパターンからなる給電回路が内蔵されている。ＣＩＣは、ＲＦＩＣチップ１１の浮遊容量である。給電回路によって共振回路が形成されており、その共振周波数はキャリア周波数に対応する。このように給電回路を設けることによって、ＲＦＩＤタグ１０のアンテナ素子３及びそれに接続する金属部材２３とによる電気長が変化してもキャリア周波数の中心周波数は大きく変化しないようにすることができる。多層基板１５は、端子電極１６を介してアンテナ素子３及び励振電極４と接続する。
【００３７】
＜アンテナ素子＞
アンテナ素子３は、例えば、図３（ｂ）では第１入出力端子２ａによってＲＦＩＣ素子１と直接接続されているが、これに限られない。例えば、アンテナ素子３とＲＦＩＣ素子１とは、直接接続でなく、容量結合、磁界結合等のいずれの結合をしていてもよい。
【００３８】
＜一端子型タグ＞
このＲＦＩＤタグ１０としては、通常の両側のアンテナが同じ長さのダイポール型ではなく、励振電極４よりもアンテナ素子３が長い一端子型タグを用いている。この一端子型タグの詳細は、例えば、国際出願公開ＷＯ２０１５／１１１４６６号パンフレット、ＷＯ２０１２／０９３５４１号パンフレット、ＷＯ２０１２／１１７８４３号パンフレットに記載している通りである。
通常の対称型のダイポール型アンテナでは、中心の給電点で電圧ゼロ、電流分布最大となり、低インピーダンスで実現できる。一方、この一端子型タグでは、左右のアンテナ素子３と励振電極４とはアンバランスな長さを有し、給電点で電圧ゼロとならず、電流分布も低い状態であり、高インピーダンスとなる。このため通常であればインピーダンス不整合によって電力が伝わらなくなる。これに対して、この一端子型タグでは、上記ＲＦＩＣ素子１を用いているので、高インピーダンスに対応することができ、電力を伝えることができる。
このような一端子型タグを用いることによって、ＲＦＩＤタグ１０を筒状体２２の周回方向に沿って配置した際、周回方向におけるアンテナ素子の長さを十分に確保することができる。
【００３９】
＜励振電極＞
ＲＦＩＣ素子１と、励振電極４とは、例えば、図３（ｂ）では第１入出力端子２ａによって直接接続されているがこれに限られない。例えば、ＲＦＩＣ素子１と励振電極４とは、直接接続でなく、容量結合、磁界結合等のいずれの結合をしていてもよい。
励振電極４は、通常のアンテナ素子に用いられるものであれば使用でき、例えば、銅箔、銅板、銅めっき膜、金箔、金板、金めっき膜等の材料を用いることができる。材料は上記の例に限られず、通常使用されるものであれば使用できる。
なお、上記の通り、励振電極４は、アンテナ素子３に比べて短い。
【００４０】
＜金属部材とＲＦＩＤタグとの接続＞
金属部材２３とＲＦＩＤタグ１０のアンテナ素子３との接続は、図１及び図２では、直接接続の場合を示しているが、これに限られない。例えば、図３に示すＲＦＩＤタグ１０の場合には、基材５と接着剤（図示せず）とを介してアンテナ素子３と金属部材２３とが容量結合によって接続されていてもよい。なお、金属部材２３とアンテナ素子３とを直接接続する場合には、図３のＲＦＩＤタグ１０の場合には、アンテナ素子３の他端側の基材５を一部除去して、アンテナ素子３と金属部材２３とを接続してもよい。
また、アンテナ素子３は、図１及び図２では、筒状体２２の周回方向に沿って配置されているが、これに限られない。例えば、アンテナ素子３は、筒状体２２の周回方向と交差する方向に沿って配置されていてもよい。
さらに、アンテナ素子３は、図１及び図２では、金属部材２３の周回方向側の縁端部２４ａに接続されているが、これに限られない。例えば、後述する実施の形態２に示すように、アンテナ素子３は、金属部材２３ａの周回方向と交差する方向側の側端部２５ａに接続されていてもよい。
なお、励振電極４は金属部材２３の周回方向の縁端部２４ｂとは接触していない。
【００４１】
＜ＲＦＩＤタグ付き紙管の使用状態の一例＞
図５は、実施の形態１に係るＲＦＩＤタグ付き紙管３０に金属ワイヤ３２を巻き付けた使用状態の一例を示す概略斜視図である。
このＲＦＩＤタグ付き紙管３０は、紙管３０に導電性材料である金属ワイヤ３２を巻き付けて使用している。紙管３０に導電性材料である金属ワイヤ３２や金属フィルム等を巻き付けて使用する場合に、ＲＦＩＤタグ１０を設けた筒状体２２は、巻き付ける金属ワイヤ３２等と軸方向（図５におけるｙ軸）について重ならないように配置しておくことが好ましい。具体的には、筒状体２２は、金属ワイヤ３２等を巻き付ける位置から軸方向（ｙ軸）の正方向又は負方向にシフトした位置、つまり紙管３０の上端又は下端に配置することが好ましい。この場合、紙管３０の上下端は、捲装物を巻き付けない部分と設定しておくことが好ましい。このように金属ワイヤ３２等と筒状体２２とを重ならないように配置することでＲＦＩＤタグ１０の通信可能距離が大きくなる。
なお、導電性材料以外の材料、例えば、紙や樹脂フィルム等を紙管３０に巻き付ける場合には、シールドされないので軸方向（ｙ軸）について筒状体２２と重なるように巻き付けてもよい。この場合、紙管３０の上下端にも捲装物を巻き付けてもよい。
【００４２】
（実施の形態２）
図６（ａ）は、実施の形態２に係るＲＦＩＤタグ付き紙管３０ａの構成要素のＲＦＩＤタグ１０ａを設けた筒状体２２ａの構成を示す斜視図である。図６（ｂ）は、ＲＦＩＤタグ１０ａの構成を示す平面図である。図６（ｃ）は、図６（ａ）のＲＦＩＤタグ１０ａを設けた筒状体２２ａを紙管本体２０ａへ挿入する工程を示す斜視図である。なお、この筒状体２２ａは、紙管本体２０ａへ挿入する際には、補助内筒２６を用いてＲＦＩＤタグ１０ａを紙管本体２０ａの内周側に収容している。
このＲＦＩＤタグ付き紙管３０ａは、実施の形態１に係るＲＦＩＤタグ付き紙管と対比すると、筒状体２２ａの外周面の全面に金属部材２３ａを設けている点で相違する。これによって、さらに指向性を改善できる。
また、ＲＦＩＤタグ１０ａのアンテナ素子３を筒状体２２ａの周回方向と交差する方向に沿って配置している点で相違する。この「周回方向と交差する方向」は、例えば軸方向（ｙ軸方向）であってもよく、あるいは軸方向から傾斜していてもよい。これによって、金属部材２３ａの周回方向とＲＦＩＤタグ１０ａのアンテナ素子３ａの延在方向とが交差するので、さらに指向性を改善できる。アンテナ素子３ａは、金属部材２３ａの周回方向と交差する方向側の側端部２５ａに接続されている。
さらに、ＲＦＩＤタグ１０ａは、ＲＦＩＣ素子１の２つの入出力端子がループ形状部４ａによって接続されており、一方の入出力端子にアンテナ素子３の一端が接続されている。これによって、ループ形状部４ａを有するので、ＲＦＩＤタグ１０ａ自体での指向性を改善できる。
【００４３】
（実施の形態３）
図７（ａ）は、実施の形態３に係るＲＦＩＤタグ付き紙管３０ｂの構成を示す斜視図である。図７（ｂ）は、紙管本体２０ｂの外径側の収容部２１ｂにＲＦＩＤタグ１０を設けた筒状体２２ｂを嵌合して図７（ａ）のＲＦＩＤタグ付き紙管３０ｂを構成する工程を示す斜視図である。なお、図７では、紙管３０ｂの軸方向をｙ軸とし、径方向をｘ軸及びｚ軸としている。
このＲＦＩＤタグ付き紙管３０ｂは、実施の形態１に係るＲＦＩＤタグ付き紙管と対比すると、筒状体２２ｂの内周面の周回方向に沿ってＲＦＩＤタグ１０を設けると共に、内周面の周回方向に沿って金属部材２３ｂを設けている点で相違する（図７（ｂ））。また、紙管本体２０ｂの外径側の収容部２１ｂに筒状体２２ｂを嵌合している点で相違する。そこで、ＲＦＩＤタグ１０を筒状体２２ｂの内周面と紙管本体２０ｂの外径側の収容部２１ｂとの間に収容できる。そこで、紙管３０ｂの高速回転時にもＲＦＩＤタグ１０の損傷の発生を抑制できる。
【００４４】
（実施の形態４）
図８（ａ）は、実施の形態４に係るＲＦＩＤタグ付き紙管３０ｃの構成を示す斜視図である。図８（ｂ）は、紙管本体２０ｃの収容部２１ｃにＲＦＩＤタグ１０を設けた筒状体２２ｃを挿入して図８（ａ）のＲＦＩＤタグ付き紙管３０ｃを構成する工程を示す斜視図である。なお、図８では、紙管３０ｃの軸方向をｙ軸とし、径方向をｘ軸及びｚ軸としている。
このＲＦＩＤタグ付き紙管３０ｃは、実施の形態１に係るＲＦＩＤタグ付き紙管と対比すると、金属部材として金属線２３ｃを用いて、筒状体２２ｃの外周面に沿って金属線２３ｃをらせん状に巻いている点で相違する。これによって金属膜に比べて金属線２３ｃを容易に巻回させることができる。なお、金属膜をらせん状に設けて金属部材としてもよい。
【００４５】
また、紙管の使用時には、紙管の両端に紙管の保護のために口金を嵌め込む場合がある。そこで、紙管の両端には、紙管を固定するために口金（図示せず）を嵌め込んでもよい。このように紙管の両端に口金を嵌め込むことによって、金属部材と口金とが直接接続又は容量結合することによって、口金自体をアンテナ素子として機能させることができ、さらに指向性を改善できる。また、口金自体をアンテナ素子及び金属部材として機能させるようにしてもよい。
【００４６】
また、上記ＲＦＩＤタグを使用する周波数帯としては、ＬＦ帯、ＨＦ帯、ＵＨＦ帯、ＳＨＦ帯等のいずれの帯域であってもよい。また、ＲＦＩＤタグは、いわゆるタグ機能を有したものに限定されるわけではなく、リーダライタ機能を有したもの等、他の機能を持っていてもよい。
【００４７】
なお、本開示においては、前述した様々な実施の形態のうちの任意の実施の形態を適宜組み合わせることを含むものであり、それぞれの実施の形態が有する効果を奏することができる。
【産業上の利用可能性】
【００４８】
本発明に係るＲＦＩＤタグ付き紙管によれば、紙管本体に取り付けられる筒状体の周回方向に延設された金属部材にＲＦＩＤタグのアンテナ素子を接続している。そこで、筒状体の周回方向に延設された金属部材にＲＦＩＤタグのアンテナ素子が接続されているので、指向性を改善できる。
【符号の説明】
【００４９】
１  ＲＦＩＣ素子
２ａ  第１入出力端子
２ｂ  第２入出力端子
３、３ａ  アンテナ素子
４  励振電極
４ａ  ループ形状部
５  基材
１０、１０ａ  ＲＦＩＤタグ
１１  ＲＦＩＣチップ
１２  導電性接合材
１３  端子電極
１４  封止樹脂
１５  多層基板
１６  端子電極
２０、２０ａ、２０ｂ、２０ｃ  紙管本体
２１、２１ａ  収容部
２２、２２ａ、２２ｂ、２２ｃ  筒状体
２３、２３ａ、２３ｃ  金属部材
２４ａ、２４ｂ  筒状体の周回方向側の縁端部
２５ａ、２５ｂ  筒状体の周回方向に交差する方向側の側端部
２６  補助内筒
３０、３０ｂ、３０ｃ  紙管
３２  金属ワイヤ
【図１】
0006483001.tif 000002
【図２】
0006483001.tif 000003
【図３】
0006483001.tif 000004
【図４】
0006483001.tif 000005
【図５】
0006483001.tif 000006
【図６】
0006483001.tif 000007
【図７】
0006483001.tif 000008
【図８】
0006483001.tif 000009